(57)【要約】【課題】サービスダウンロード時にダウンロード対象サービスに対応したプログレスメーターを表示できるようにする。【解決手段】ダウンロード対象サービス選択装置１０１は、広域通信装置１０２を用い、サービス提供サーバ２００と通信し、ダウンロード対象サービス管理装置２０１に選択されたサービスのダウンロード開始を要求する。プログレスメーター構成装置１０３は、広域通信装置１０２を用い、ダウンロード対象サービス管理装置２０１より要求されたダウンロード対象サービスの情報を受け取ったプログレスメーター情報管理装置２０２から、プログレスメーターを特定するためのＵＲＬなどの情報を獲得し、対応するプログレスメーターを構成する部品などを、ローカル領域やサーバなどにアクセスし獲得する。描画装置１０４は、サービスのダウンロードが開始されてから終了するまで、獲得されたプログレスメーターを構成する部品などでプログレスメーターを描画する。【選択図】図１
2007241675.tif 000002
【特許請求の範囲】
【請求項１】
各種情報をダウンロードするときに端末の表示装置の画面にプログレスメーターを表示するプログレスメーター表示システムであって、
ダウンロード対象サービスのダウンロード開始時に、前記ダウンロード対象サービスに対応する前記プログレスメーターの存在する場所を特定するための特定情報を取得する第１の取得手段と、
前記第１の取得手段によって取得された前記特定情報に基づいて、前記ダウンロード対象サービスに対応する前記プログレスメーターを取得する第２の取得手段と
を備えることを特徴とするプログレスメーター表示システム。
【請求項２】
前記プログレスメーターを、前記ダウンロード対象サービスのダウンロード開始時から終了時まで、前記端末の画面上に描画する描画手段をさらに備える
ことを特徴とする請求項１に記載のプログレスメーター表示システム。
【請求項３】
各種情報をダウンロードするときに端末の表示装置の画面にプログレスメーターを表示するプログレスメーター表示方法であって、
ダウンロード対象サービスのダウンロード開始時に、前記ダウンロード対象サービスに対応する前記プログレスメーターの存在する場所を特定するための特定情報を取得する第１の取得ステップと、
前記第１の取得ステップにおいて取得された前記特定情報に基づいて、前記ダウンロード対象サービスに対応する前記プログレスメーターを取得する第２の取得ステップと
を備えることを特徴とするプログレスメーター表示方法。
【請求項４】
前記プログレスメーターを、前記ダウンロード対象サービスのダウンロード開始時から終了時まで、前記端末の画面上に描画する描画ステップをさらに備える
ことを特徴とする請求項３に記載のプログレスメーター表示方法。
【請求項５】
各種情報をダウンロードするときに端末の表示装置の画面にプログレスメーターを表示するプログレスメーター表示方法を前記端末に実行させるプログレスメーター表示制御プログラムであって、
ダウンロード対象サービスのダウンロード開始時に、前記ダウンロード対象サービスに対応する前記プログレスメーターの存在する場所を特定するための特定情報を取得する第１の取得ステップと、
前記第１の取得ステップにおいて取得された前記特定情報に基づいて、前記ダウンロード対象サービスに対応する前記プログレスメーターを取得する第２の取得ステップとを前記端末に実行させる
ことを特徴とするプログレスメーター表示制御プログラム。
【請求項６】
前記プログレスメーターを、前記ダウンロード対象サービスのダウンロード開始時から終了時まで、前記端末の画面上に描画する描画ステップをさらに備える
ことを特徴とする請求項５に記載のプログレスメーター表示制御プログラム。
【発明の詳細な説明】
【技術分野】
【０００１】
本発明はプログレスメーター表示システムに関し、特に、ダウンロード対象サービスに応じたプログレスメーターを表示するプログレスメーター表示システムに関するものである。
【背景技術】
【０００２】
図１１に示すように、従来のプログレスメーター表示システムは、携帯端末１００と、サービス提供サーバ２００とから構成されている。携帯端末１００は、ダウンロード対象サービス選択装置１０１と、広域通信装置１０２と、描画装置１０４とを含む。サービス提供サーバ２００は、ダウンロード対象サービス管理装置２０１を含む。携帯端末１００は、各部を制御する図示しないＣＰＵ（Central
Processing Unit）を有している。また、ダウンロード対象サービス選択装置１０１は、図示しない操作部等で構成される。広域通信装置１０２は、ＣＰＵの制御により広域通信を制御する通信制御回路等により構成される。描画装置１０４は、ＣＰＵの制御により描画処理を行う図示しない描画回路と液晶等の表示部等により構成される。
【０００３】
このような構成を有する従来のプログレスメーター表示システムは次のように動作する。即ち、まず、ユーザは、携帯電話などの携帯端末１００が持つダウンロード対象サービス選択装置１０１を構成する操作部のボタンを操作して、ＣＰＵの制御により表示部の画面上に表示された画像や音楽などのファイルやコンテンツなどのダウンロード対象サービスのリストから、所望のダウンロード対象サービスを選択する。リストが複数画面に亘る場合には、所定のボタンを操作することにより、次の画面を表示し、所定のボタンを操作することにより、要求するダウンロード対象サービスを選択する。
【０００４】
携帯端末１００が持つダウンロード対象サービス選択装置１０１は、ＷＬＡＮ（Wireless LAN（Local Area Network））通信モジュールや、インターネット通信モジュールなどの広域通信装置１０２を用い、サービス提供サーバ２００が持つ画像や音楽などのファイルやコンテンツなどを格納しているダウンロード対象サービス管理装置２０１にサービスダウンロードを要求する。
【０００５】
携帯端末１００が持つ描画装置１０４は、サービスダウンロードが開始されてから終了するまで、携帯端末１００にあらかじめインストールされている、常に同一でかつ固定のプログレスメーターを描画する。
【０００６】
また、情報提供サーバが、クライアントが要求する「目的情報のファイルサイズ」、「クライアントへの通信速度」に基づいて、「目的情報のダウンロード時間」を算出し、目的情報のダウンロード時間に基づいて、「全体のダウンロード時間」および「広告情報のダウンロード時間」を算出し、広告情報のダウンロード時間、クライアントへの通信速度に見合ったファイルサイズ、表示時間（再生時間等）の広告情報を選択し、クライアントが、目的情報のダウンロードとともに、広告情報のダウンロードおよび表示を行い、目的情報のダウンロードが終了していても、広告情報が動画である場合、当該広告情報の表示（動画再生等）が完了するまで、ユーザの操作受け付けを不可とすることにより、目的情報のダウンロードの際、広告情報の選択、配信、表示等を効率的に行うことを可能としたものがある（例えば、特許文献１参照）。
【特許文献１】特開２００５−７８１７３号公報
【発明の開示】
【発明が解決しようとする課題】
【０００７】
このように、ユーザは、要求したダウンロード対象サービスが何であったとしても、ダウンロード終了までの待機中、常に同一かつ固定のプログレスメーターを閲覧することとなり、ダウンロード対象サービスに対応した情報を、プログレスメーターから得ることはできず、また、サービス提供者も、プログレスメーターをサービスＰＲなど独自のコンテンツとして利用することができないという問題があった。
【０００８】
また、広告情報をダウンロードして表示する場合でも、ダウンロード終了までの待機中は同一かつ固定のプログレスメーターを表示しなければならないという問題があった。
【０００９】
本発明はこのような状況に鑑みてなされたものであり、上記問題点を解決できるプログレスメーター表示システムを提供することを目的とする。
【課題を解決するための手段】
【００１０】
請求項１に記載のプログレスメーター表示システムは、各種情報をダウンロードするときに端末の表示装置の画面にプログレスメーターを表示するプログレスメーター表示システムであって、ダウンロード対象サービスのダウンロード開始時に、ダウンロード対象サービスに対応するプログレスメーターの存在する場所を特定するための特定情報を取得する第１の取得手段と、第１の取得手段によって取得された特定情報に基づいて、ダウンロード対象サービスに対応するプログレスメーターを取得する第２の取得手段とを備えることを特徴とする。
また、プログレスメーターを、ダウンロード対象サービスのダウンロード開始時から終了時まで、端末の画面上に描画する描画手段をさらに備えるようにすることができる。
請求項３に記載のプログレスメーター表示方法は、各種情報をダウンロードするときに端末の表示装置の画面にプログレスメーターを表示するプログレスメーター表示方法であって、ダウンロード対象サービスのダウンロード開始時に、ダウンロード対象サービスに対応するプログレスメーターの存在する場所を特定するための特定情報を取得する第１の取得ステップと、第１の取得ステップにおいて取得された特定情報に基づいて、ダウンロード対象サービスに対応するプログレスメーターを取得する第２の取得ステップとを備えることを特徴とする。
また、プログレスメーターを、ダウンロード対象サービスのダウンロード開始時から終了時まで、端末の画面上に描画する描画ステップをさらに備えるようにすることができる。
請求項５に記載のプログレスメーター表示制御プログラムは、各種情報をダウンロードするときに端末の表示装置の画面にプログレスメーターを表示するプログレスメーター表示方法を端末に実行させるプログレスメーター表示制御プログラムであって、ダウンロード対象サービスのダウンロード開始時に、ダウンロード対象サービスに対応するプログレスメーターの存在する場所を特定するための特定情報を取得する第１の取得ステップと、第１の取得ステップにおいて取得された特定情報に基づいて、ダウンロード対象サービスに対応するプログレスメーターを取得する第２の取得ステップとを端末に実行させることを特徴とする。
また、プログレスメーターを、ダウンロード対象サービスのダウンロード開始時から終了時まで、端末の画面上に描画する描画ステップをさらに備えるようにすることができる。
【発明の効果】
【００１１】
本発明によれば、端末がダウンロード対象サービスのダウンロード開始時に、ダウンロード対象サービスに対応したプログレスメーターの存在場所を示す特定情報を取得し、特定情報に基づいてプログレスメータを取得し画面に描画することができるので、ユーザは、ダウンロード対象サービスのダウンロード中に、端末の画面に表示されたダウンロード対象サービスに対応したプログレスメーターを閲覧することができる。
【発明を実施するための最良の形態】
【００１２】
次に、本発明の実施の形態の構成について図面を参照して詳細に説明する。図１を参照すると、本発明の第１の実施の形態は、携帯端末１００と、サービス提供サーバ２００とを含む。携帯端末１００は、ダウンロード対象サービス選択装置１０１と、広域通信装置１０２と、プログレスメーター構成装置１０３と、描画装置１０４とを含む。サービス提供サーバ２００は、ダウンロード対象サービス管理装置２０１と、プログレスメーター情報管理装置２０２と、図示しない広域通信装置を含み、広域通信装置を介して通信が行われるようになっている。携帯端末１００は、各部を制御する図示しないＣＰＵ（Central
Processing Unit）を有している。また、ダウンロード対象サービス選択装置１０１は、図示しない操作部等で構成される。広域通信装置１０２は、ＣＰＵの制御により広域通信を制御する通信制御回路等により構成される。描画装置１０４は、ＣＰＵの制御により描画処理を行う図示しない描画回路と液晶等の表示部等により構成される。
【００１３】
これらはそれぞれ概略次のように動作する。ダウンロード対象サービス選択装置１０１は、広域通信装置１０２を用い、サービス提供サーバ２００と通信し、ダウンロード対象サービス管理装置２０１に選択されたダウンロード対象サービス（以下、適宜サービスと記載する）のダウンロード開始を要求する。
【００１４】
プログレスメーター構成装置１０３は、広域通信装置１０２を用い、ダウンロード対象サービス管理装置２０１より要求されたダウンロード対象サービスの情報を受け取ったプログレスメーター情報管理装置２０２から、プログレスメーターを特定するためのＵＲＬ（Uniform
Resource Locator）などの情報を獲得し、対応するプログレスメーターを構成する部品などを、ローカル領域やサーバなどにアクセスし獲得する。
【００１５】
例えば、取得したＵＲＬが、携帯電話１００のローカル領域（スクラッチパッド）である場合はローカル領域にアクセスし、インターネット上のサーバのアドレスであればそのサーバにアクセスしてプログレスメーターを構成する部品等を取得する。ここでのサーバは、サービス提供サーバ２００に限定されない。
【００１６】
描画装置１０４は、サービスダウンロードが開始されてから終了するまで、獲得されたプログレスメーターを構成する部品などで、プログレスメーターを描画する。
【００１７】
次に、図１及び図２のフローチャートを参照して、本発明の第１の実施の形態の動作について詳細に説明する。
【００１８】
まず、ユーザは、携帯電話などの携帯端末１００が持つダウンロード対象サービス選択装置１０１で、画面上に表示されている画像や音楽などのファイルなどのダウンロード対象サービスのリストから選んだり、次のコンテンツやページを表示するためのボタンを押すなどして、要求するダウンロード対象サービスを選択する。
【００１９】
ここでダウンロード対象サービスのリストは、サービス提供サーバ２００から取得される。あるいは、あらかじめ携帯端末１００のローカル領域に保存されている場合もある。
【００２０】
携帯端末１００が持つダウンロード対象サービス選択装置１０１は、ＷＬＡＮ通信モジュールや、インターネット通信モジュールなどの広域通信装置１０２を用い、サービス提供サーバ２００が持つ画像や音楽などのファイルやコンテンツなどを格納しているダウンロード対象サービス管理装置２０１にサービスダウンロードを要求する。
【００２１】
携帯端末１００が持つプログレスメーター構成装置１０３は、ＷＬＡＮ通信モジュールや、インターネット通信モジュールなどの広域通信装置１０２を用い、サービス提供サーバ２００が持つダウンロード対象サービス管理装置２０１より要求されたダウンロード対象サービスの情報を受け取った、プログレスメーターの形、動きや部品などを特定するＵＲＬなどの情報を格納しているプログレスメーター情報管理装置２０２より、ダウンロード対象サービスに対応したプログレスメーターの形、動きや部品などを特定するＵＲＬなどの情報を得、携帯端末１００内のローカル領域やサーバより、プログレスメーターを構成する形、動きの情報やバーやうさぎなどのキャラクターの画像などの部品を獲得する。
【００２２】
ここで、プログレスメーターの「形」とは、プログレスメータ自体の形状をあらわすものであり、ライン状、円状、あらかじめ設定されたパス等である。「動きの情報」とは、プログレスメーターの進捗状況を表したり、ユーザーを退屈させないためのアニメーション規則を表すものであり、具体的には、例えば、横幅15pxcel/s、横幅15pxcel/ダウンロード率10%、1/50回転/s等の情報である。「部品」とは、プログレスメーターを構成する画像、図形、文字などを表すものであり、具体的には、例えば、ウサギの画像、絵文字、ピンク塗りつぶしの四角形等である。また、それらの画像、絵文字、四角形等を時間の経過に対応して変化させることができる。
【００２３】
携帯端末１００が持つ描画装置１０４は、サービスダウンロードが開始されてから終了するまで、獲得されたプログレスメーターを構成する部品などで、プログレスメーターを描画する。
【００２４】
次に、本発明の第１の実施の形態の効果について説明する。本発明の第１の実施の形態では、プログレスメーター情報管理装置２０２から受け取ったダウンロード対象サービスに対応するプログレスメーターを特定するためのＵＲＬなどを元に、プログレスメーターを構成し表示するため、これにより、携帯端末１００が要求したダウンロード対象サービスに対応した見た目や動きのプログレスメーター表示し、ユーザはその状況に合ったプログレスメーターを閲覧できる。
【００２５】
例えば、サービスダウンロード中のユーザが待機しなければならない時間でも、ダウンロード対象サービスに応じたプログレスメーターを表示することによって、ダウンロード中のサービスに関連するＰＲ活動や最新情報を提供したり、ユーザを退屈させない工夫をすることができる。
【００２６】
また、ユーザがあるアーティストの着メロのダウンロードを要求したとき、そのアーティストの新曲情報やＰＲ画像、新曲のサウンドなどをプログレスメーターとして表示し、サービス提供者側はそのアーティストのプロモーションができ、ユーザはそのアーティストの最新情報を入手することができる。
【００２７】
また、例えば化粧品の携帯向けｗｅｂコンテンツにアクセスするときも、ｗｅｂコンテンツダウンロード中に、その化粧品のキャラクターや写真、ロゴなどをプログレスメーターとして表示することができる。
【００２８】
次に、本発明の第２の実施の形態の構成について図面を参照して詳細に説明する。図３を参照すると、本発明の第２の実施の形態は、携帯端末１００と、近距離通信機３００とを含む。携帯端末１００は、ダウンロード対象サービス選択装置１０１と、近距離通信装置１０５と、プログレスメーター構成装置１０３と、描画装置１０４と、を含む。近距離通信機３００は、ダウンロード対象サービス管理装置３０１と、プログレスメーター情報管理装置３０２とを含む。携帯端末１００は、各部を制御する図示しないＣＰＵを有している。また、ダウンロード対象サービス選択装置１０１は、図示しない操作部等で構成される。近距離通信装置１０５は、ＣＰＵの制御により近距離通信を制御する通信制御回路等により構成される。描画装置１０４は、ＣＰＵの制御により描画処理を行う図示しない描画回路と液晶等の表示部等により構成される。
【００２９】
これらはそれぞれ概略次のように動作する。ダウンロード対象サービス選択装置１０１は、近距離通信装置１０５を用い、近距離通信機３００と通信し、ダウンロード対象サービス管理装置３０１に選択されたサービスのダウンロード開始を要求する。
【００３０】
プログレスメーター構成装置１０３は、広域通信装置１０２を用い、ダウンロード対象サービス管理装置３０１より要求されたダウンロード対象サービスの情報を受け取ったプログレスメーター情報管理装置３０２から、プログレスメーターを特定するためのＵＲＬなどの情報を獲得し、対応するプログレスメーターを構成する部品などを、ローカル領域やサーバなどにアクセスし獲得する。描画装置１０４は、サービスダウンロードが開始されてから終了するまで、獲得されたプログレスメーターを構成する部品などで、プログレスメーターを描画する。
【００３１】
次に、図３及び図４のフローチャートを参照して本発明の第２の実施の形態の動作について詳細に説明する。まず、ユーザは、携帯電話などの携帯端末１００が持つダウンロード対象サービス選択装置１０１で、画面上に表示されている映像や音楽などのファイルなどのダウンロード対象サービスのリストなどから、要求するダウンロード対象サービスを選択する。
【００３２】
携帯端末１００が持つダウンロード対象サービス選択装置１０１は、赤外線通信、ｂｌｕｅｔｏｏｔｈ通信などを行う近距離通信モジュールなどの近距離信装置１０５を用い、赤外線通信機能を持ったＰＯＳ端末やミュージックコンポやテレビ、冷蔵庫などのｂｌｕｅｔｏｏｔｈ通信機能を持った情報家電などの近距離通信機３００が持つ映像や音楽などのファイルやコンテンツなどを格納しているダウンロード対象サービス管理装置３０１にサービスダウンロードを要求する。
【００３３】
携帯端末１００が持つプログレスメーター構成装置１０３は、赤外線通信、ｂｌｕｅｔｏｏｔｈ通信などを行う近距離通信モジュールなどの近距離信装置１０５を用い、近距離通信機３００が持つダウンロード対象サービス管理装置３０１より要求されたダウンロード対象サービスの情報を受け取った、プログレスメーターの形、動きや部品などを特定するＵＲＬなどの情報を格納しているプログレスメーター情報管理装置３０２より、ダウンロード対象サービスに対応したプログレスメーターの形、動きや部品などを特定するＵＲＬなどの情報を得、携帯端末１００内のローカル領域やサーバより、プログレスメーターを構成する形、動きの情報やバーやうさぎなどのキャラクターの画像などの部品を獲得する。
【００３４】
携帯端末１００が持つ描画装置１０４は、サービスダウンロードが開始されてから終了するまで、獲得されたプログレスメーターを構成する部品などで、プログレスメーターを描画する。
【００３５】
次に、本発明の第２の実施の形態の効果について説明する。本発明の第２の実施の形態では、プログレスメーター情報管理装置３０２から受け取ったダウンロード対象サービスに対応するプログレスメーターを特定するためのＵＲＬなどを元に、プログレスメーターを構成し表示するため、これにより、携帯端末１００が要求したダウンロード対象サービスに対応した見た目や動きのプログレスメーターを表示し、ユーザはその状況に合ったプログレスメーターを閲覧できる。
【００３６】
例えば、ＰＯＳ端末との赤外線通信によるサービスダウンロード中のユーザが待機しなければならない時間でも、ダウンロード対象サービスに応じたプログレスメーターを表示することによって、ダウンロード中のサービスに関連するＰＲ活動や最新情報を提供したり、ユーザを退屈させない工夫をすることができる。また、ユーザがあるアーティストの映像や音楽をＨＤレコーダーやミュージックコンポなどからｂｌｕｅｔｏｏｔｈ通信でのダウンロードを要求したとき、そのアーティストの新曲情報やＰＲ画像、新曲のサウンドなどをプログレスメーターとして表示し、サービス提供者側はそのアーティストのプロモーションができ、ユーザはそのアーティストの最新情報を入手することができる。
【００３７】
また、例えば情報家電である冷蔵庫の中身の情報を携帯電話にダウンロードするときにも、ダウンロード中に買い足さなければならない野菜の画像を元に構成したプログレスメーターを表示し、ユーザはダウンロード中の情報の一部や概要を知り、また楽しむことができる。
【００３８】
次に、本発明の第３の実施の形態の構成について図面を参照して詳細に説明する。図５を参照すると、本発明の第３の実施の形態は、携帯端末１００と、サービス提供サーバ２００とを含む。携帯端末１００は、ダウンロード対象サービス選択装置１０１と、広域通信装置１０２と、プログレスメーター構成装置１０３と、描画装置１０４と、プログレスメーター情報管理装置１０６を含む。サービス提供サーバ２００は、ダウンロード対象サービス管理装置２０１とを含む。
【００３９】
これらはそれぞれ概略次のように動作する。ダウンロード対象サービス選択装置１０１は、広域通信装置１０２を用い、サービス提供サーバ２００と通信し、ダウンロード対象サービス管理装置２０１に選択されたサービスのダウンロード開始を要求する。
【００４０】
プログレスメーター構成装置１０３は、ダウンロード対象サービス選択装置１０１より要求されたダウンロード対象サービスの情報を受け取ったプログレスメーター情報管理装置１０６から、プログレスメーターを特定するためのＵＲＬなどの情報を獲得し、対応するプログレスメーターを構成する部品などを、ローカル領域やサーバなどにアクセスし獲得する。描画装置１０４は、サービスダウンロードが開始されてから終了するまで、獲得されたプログレスメーターを構成する部品などで、プログレスメーターを描画する。
【００４１】
次に、図５及び図６のフローチャートを参照して本発明の第３の実施の形態の動作について詳細に説明する。
【００４２】
まず、ユーザは、携帯電話などの携帯端末１００が持つダウンロード対象サービス選択装置１０１で、画面上に表示されている画像や音楽などのファイルなどのダウンロード対象サービスのリストから選んだり、次のコンテンツやページを表示するためのボタンを押すなどして、要求するダウンロード対象サービスを選択する。
【００４３】
携帯端末１００が持つダウンロード対象サービス選択装置１０１は、ＷＬＡＮ通信モジュールや、インターネット通信モジュールなどの広域通信装置１０２を用い、サービス提供サーバ２００が持つ画像や音楽などのファイルやコンテンツなどを格納しているダウンロード対象サービス管理装置２０１にサービスダウンロードを要求する。
【００４４】
携帯端末１００が持つプログレスメーター構成装置１０３は、ダウンロード対象サービス選択装置１０１より要求されたダウンロード対象サービスの情報を受け取った、プログレスメーターの形、動きや部品などを特定するＵＲＬなどの情報を格納しているプログレスメーター情報管理装置１０６より、ダウンロード対象サービスに対応したプログレスメーターの形、動きや部品などを特定するＵＲＬなどの情報を得、携帯端末１００内のローカル領域やサーバより、プログレスメーターを構成する形、動きの情報やバーやうさぎなどのキャラクターの画像などの部品を獲得する。
【００４５】
携帯端末１００が持つ描画装置１０４は、サービスダウンロードが開始されてから終了するまで、獲得されたプログレスメーターを構成する部品などで、プログレスメーターを描画する。
【００４６】
第３の実施の形態においては、携帯端末１００にプログレスメーター情報管理装置１０６が含まれること、および、サービス提供サーバ２００にプログレスメーター情報管理装置２０２がないことによって、ダウンロード対象サービスに対応したプログレスメーターを特定するＵＲＬなどの情報を取得、検索するために、インターネットを介した通信をする必要がない。よって、その効果として、プログレスメーターを特定するＵＲＬなどの情報の取得のための遅延時間が短いため、ユーザは待たされることなく、ダウンロード対象サービスに対応するプログレスメーターを閲覧することができる。また、ダウンロード対象サービスとプログレスメーターとの組み合わせリストが携帯端末１００のローカル領域で管理されているため、ユーザはネットワーク上のサーバ等と通信することなく、ダウンロード対象サービスとプログレスメーターとの組み合わせを自分でカスタマイズすることができる。
【００４７】
次に、本発明の第３の実施の形態の効果について説明する。本発明の第１の実施の形態では、プログレスメーター情報管理装置１０６から受け取ったダウンロード対象サービスに対応するプログレスメーターを特定するためのＵＲＬなどを元に、プログレスメーターを構成し表示するため、これにより、携帯端末１００が要求したダウンロード対象サービスに対応した見た目や動きのプログレスメーター表示し、ユーザはその状況に合ったプログレスメーターを閲覧できる。
【００４８】
例えば、サービスダウンロード中のユーザが待機しなければならない時間でも、ダウンロード対象サービスに応じたプログレスメーターを表示することによって、ダウンロード中のサービスに関連するＰＲ活動や最新情報を提供したり、ユーザを退屈させない工夫をすることができる。
【００４９】
また、ユーザがあるアーティストの着メロのダウンロードを要求したとき、そのアーティストの新曲情報やＰＲ画像、新曲のサウンドなどをプログレスメーターとして表示し、サービス提供者側はそのアーティストのプロモーションができ、ユーザはそのアーティストの最新情報を入手することができる。
【００５０】
また、例えば化粧品の携帯向けｗｅｂコンテンツにアクセスするときも、ｗｅｂコンテンツダウンロード中に、その化粧品のキャラクターや写真、ロゴなどをプログレスメーターとして表示することができる。
【００５１】
また、本発明の第３の実施の形態においては、携帯端末１００がプログレスメーター情報管理装置１０６を持っため、ユーザはダウンロード対象サービスに対応するプログレスメーターとの組み合わせを独自のものに設定することができる。
【００５２】
次に、本発明の第４の実施の形態の構成について図面を参照して詳細に説明する。図７を参照すると、本発明の第４の実施の形態は、携帯端末１００と、近距離通信機３００とを含む。携帯端末１００は、ダウンロード対象サービス選択装置１０１と、近距離通信装置１０５と、プログレスメーター構成装置１０３と、描画装置１０４とを含む。近距離通信機３００は、ダウンロード対象サービス管理装置３０１と、プログレスメーター情報管理装置３０２とを含む。近距離通信機３００は、各部を制御する図示しないＣＰＵと図示しない通信制御部を有し、ＣＰＵは各部を制御するようになっている。
【００５３】
これらはそれぞれ概略次のように動作する。ダウンロード対象サービス選択装置１０１は、近距離通信装置１０５を用い、近距離通信機３００と通信し、ダウンロード対象サービス管理装置３０１に選択されたサービスのダウンロード開始を要求する。
【００５４】
プログレスメーター構成装置１０３は、ダウンロード対象サービス選択装置１０１より要求されたダウンロード対象サービスの情報を受け取ったプログレスメーター情報管理装置３０２から、プログレスメーターを特定するためのＵＲＬなどの情報を獲得し、対応するプログレスメーターを構成する部品などを、ローカル領域やサーバなどにアクセスし獲得する。描画装置１０４は、サービスダウンロードが開始されてから終了するまで、獲得されたプログレスメーターを構成する部品などで、プログレスメーターを描画する。
【００５５】
次に、図７及び図８のフローチャートを参照して本発明の第４の実施の形態の動作について詳細に説明する。
【００５６】
まず、ユーザは、携帯電話などの携帯端末１００が持つダウンロード対象サービス選択装置１０１で、画面上に表示されている映像や音楽などのファイルなどのダウンロード対象サービスのリストなどから、要求するダウンロード対象サービスを選択する。
【００５７】
携帯端末１００が持つダウンロード対象サービス選択装置１０１は、赤外線通信、ｂｌｕｅｔｏｏｔｈ通信などを行う近距離通信モジュールなどの近距離信装置１０５を用い、赤外線通信機能を持ったＰＯＳ端末やミュージックコンポやテレビ、冷蔵庫などのｂｌｕｅｔｏｏｔｈ通信機能を持った情報家電などの近距離通信機３００が持つ映像や音楽などのファイルやコンテンツなどを格納しているダウンロード対象サービス管理装置３０１にサービスダウンロードを要求する。
【００５８】
携帯端末１００が持つプログレスメーター構成装置１０３は、ダウンロード対象サービス選択装置１０１より要求されたダウンロード対象サービスの情報を受け取った、プログレスメーターの形、動きや部品などを特定するＵＲＬなどの情報を格納しているプログレスメーター情報管理装置１０６より、ダウンロード対象サービスに対応したプログレスメーターの形、動きや部品などを特定するＵＲＬなどの情報を得、携帯端末１００内のローカル領域やサーバより、プログレスメーターを構成する形、動きの情報やバーやうさぎなどのキャラクターの画像などの部品を獲得する。
【００５９】
携帯端末１００が持つ描画装置１０４は、サービスダウンロードが開始されてから終了するまで、獲得されたプログレスメーターを構成する部品などで、プログレスメータ
ーを描画する。
【００６０】
次に、本発明の第４の実施の形態の効果について説明する。本発明の第４の実施の形態では、プログレスメーター情報管理装置１０６から受け取ったダウンロード対象サービスに対応するプログレスメーターを特定するためのＵＲＬなどを元に、プログレスメーターを構成し表示するため、これにより、携帯端末１００が要求したダウンロード対象サービスに対応した見た目や動きのプログレスメーター表示し、ユーザはその状況に合ったプログレスメーターを閲覧できる。
【００６１】
例えば、ＰＯＳ端末との赤外線通信によるサービスダウンロード中のユーザが待機しなければならない時間でも、ダウンロード対象サービスに応じたプログレスメーターを表示することによって、ダウンロード中のサービスに関連するＰＲ活動や最新情報を提供したり、ユーザを退屈させない工夫をすることができる。
【００６２】
また、ユーザがあるアーティストの映像や音楽をＨＤレコーダーやミュージックコンポなどからｂｌｕｅｔｏｏｔｈ通信でのダウンロードを要求したとき、そのアーティストの新曲情報やＰＲ画像、新曲のサウンドなどをプログレスメーターとして表示し、サービス提供者側はそのアーティストのプロモーションができ、ユーザはそのアーティストの最新情報を入手することができる。
【００６３】
また、例えば情報家電である冷蔵庫の中身の情報を携帯電話にダウンロードするときにも、ダウンロード中に買い足さなければならない野菜の画像を元に構成したプログレスメーターを表示し、ユーザはダウンロード中の情報の一部や概要を知り、また楽しむことができる。
【００６４】
また、本発明の第３の実施の形態においては、携帯端末１００がプログレスメーター情報管理装置１０６を持っため、ユーザはダウンロード対象サービスに対応するプログレスメーターとの組み合わせを独自のものに設定することができる。
【００６５】
次に、本発明の第５の実施の形態の構成について図面を参照して詳細に説明する。図９を参照すると、本発明の第５の実施の形態は、携帯端末１００と、携帯端末４００とを含む。携帯端末１００は、ダウンロード対象サービス選択装置１０１と、近距離通信装置１０５と、プログレスメーター構成装置１０３と、描画装置１０４と、プログレスメーター情報管理装置１０６と、ダウンロード対象サービス管理装置１０７とを含む。携帯端末４００は、ダウンロード対象サービス選択装置４０１と、近距離通信装置４０５と、プログレスメーター構成装置４０３と、描画装置４０４と、プログレスメーター情報管理装置４０６と、ダウンロード対象サービス管理装置４０７とを含む。
【００６６】
これらはそれぞれ概略次のように動作する。携帯端末１００が携帯端末４００にダウンロードを要求する場合、ダウンロード対象サービス選択装置１０１は、近距離通信装置１０５を用い、携帯端末４００と通信し、ダウンロード対象サービス管理装置４０７に選択されたサービスのダウンロード開始を要求する。
【００６７】
プログレスメーター構成装置１０３は、ダウンロード対象サービス選択装置１０１より要求されたダウンロード対象サービスの情報を受け取ったプログレスメーター情報管理装置１０６から、プログレスメーターを特定するためのＵＲＬなどの情報を獲得し、対応するプログレスメーターを構成する部品などを、ローカル領域やサーバなどにアクセスし獲得する。描画装置１０４は、サービスダウンロードが開始されてから終了するまで、獲得されたプログレスメーターを構成する部品などで、プログレスメーターを描画する。
【００６８】
携帯端末４００が携帯端末１００にダウンロードを要求する場合、ダウンロード対象サービス選択装置４０１は、近距離通信装置４０５を用い、携帯端末１００と通信し、ダウンロード対象サービス管理装置１０７に選択されたサービスのダウンロード開始を要求する。
【００６９】
プログレスメーター構成装置４０３は、ダウンロード対象サービス選択装置４０１より要求されたダウンロード対象サービスの情報を受け取ったプログレスメーター情報管理装置４０６から、プログレスメーターを特定するためのＵＲＬなどの情報を獲得し、対応するプログレスメーターを構成する部品などを、ローカル領域やサーバなどにアクセスし獲得する。描画装置４０４は、サービスダウンロードが開始されてから終了するまで、獲得されたプログレスメーターを構成する部品などで、プログレスメーターを描画する。
【００７０】
次に、図９を参照して本発明の第４の実施の形態の動作について詳細に説明する。まず、携帯端末１００が携帯端末４００にダウンロードを要求する場合、ユーザは、携帯電話などの携帯端末１００が持つダウンロード対象サービス選択装置１０１で、画面上に表示されている映像や音楽などのファイルなどのダウンロード対象サービスのリストなどから、要求するダウンロード対象サービスを選択する。
【００７１】
携帯端末１００が持つダウンロード対象サービス選択装置１０１は、赤外線通信、ｂｌｕｅｔｏｏｔｈ通信などを行う近距離通信モジュールなどの近距離信装置１０５を用い、携帯端末４００が持つ映像や音楽などのファイルやコンテンツなどを格納しているダウンロード対象サービス管理装置４０７にサービスダウンロードを要求する。
【００７２】
携帯端末１００が持つプログレスメーター構成装置１０３は、ダウンロード対象サービス選択装置１０１より要求されたダウンロード対象サービスの情報を受け取った、プログレスメーターの形、動きや部品などを特定するＵＲＬなどの情報を格納しているプログレスメーター情報管理装置１０６より、ダウンロード対象サービスに対応したプログレスメーターの形、動きや部品などを特定するＵＲＬなどの情報を得、携帯端末１００内のローカル領域やサーバより、プログレスメーターを構成する形、動きの情報やバーやうさぎなどのキャラクターの画像などの部品を獲得する。携帯端末１００が持つ描画装置１０４は、サービスダウンロードが開始されてから終了するまで、獲得されたプログレスメーターを構成する部品などで、プログレスメーターを描画する。
【００７３】
次に、携帯端末４００が携帯端末１００にダウンロードを要求する場合、ユーザは、携帯電話などの携帯端末４００が持つダウンロード対象サービス選択装置４０１で、画面上に表示されている映像や音楽などのファイルなどのダウンロード対象サービスのリストなどから、要求するダウンロード対象サービスを選択する。
【００７４】
携帯端末４００が持つダウンロード対象サービス選択装置４０１は、赤外線通信、ｂｌｕｅｔｏｏｔｈ通信などを行う近距離通信モジュールなどの近距離信装置４０５を用い、携帯端末１００が持つ映像や音楽などのファイルやコンテンツなどを格納しているダウンロード対象サービス管理装置１０７にサービスダウンロードを要求する。
【００７５】
携帯端末４００が持つプログレスメーター構成装置４０３は、ダウンロード対象サービス選択装置４０１より要求されたダウンロード対象サービスの情報を受け取った、プログレスメーターの形、動きや部品などを特定するＵＲＬなどの情報を格納しているプログレスメーター情報管理装置４０６より、ダウンロード対象サービスに対応したプログレスメーターの形、動きや部品などを特定するＵＲＬなどの情報を得、携帯端末１００内のローカル領域やサーバより、プログレスメーターを構成する形、動きの情報やバーやうさぎなどのキャラクターの画像などの部品を獲得する。携帯端末４００が持つ描画装置４０４は、サービスダウンロードが開始されてから終了するまで、獲得されたプログレスメーターを構成する部品などで、プログレスメーターを描画する。
【００７６】
次に、本発明の第５の実施の形態の効果について説明する。本発明の第５の実施の形態では、プログレスメーター情報管理装置１０６から受け取ったダウンロード対象サービスに対応するプログレスメーターを特定するためのＵＲＬなどを元に、プログレスメーターを構成し表示するため、これにより、携帯端末１００が要求したダウンロード対象サービスに対応した見た目や動きのプログレスメーター表示し、ユーザはその状況に合ったプログレスメーターを閲覧できる。
【００７７】
例えば、友人同士の携帯端末でアドレス情報や写真画像を交換するときやゲームのデータを交換するときに、それらに対応したプログレスメーターを表示できる。また、本発明の第５の実施の形態においては、携帯端末１００がプログレスメーター情報管理装置１０６を持っため、ユーザはダウンロード対象サービスに対応するプログレスメーターとの組み合わせを独自のものに設定することができる。
【００７８】
次に、本発明の第６の実施の形態の構成について図面を参照して詳細に説明する。図１０を参照すると、本発明の第６の実施の形態は、携帯端末１００と、携帯端末４００とを含む。携帯端末１００は、ダウンロード対象サービス選択装置１０１と、近距離通信装置１０５と、プログレスメーター構成装置１０３と、描画装置１０４と、プログレスメーター情報管理装置１０６と、ダウンロード対象サービス管理装置１０７とを含む。
【００７９】
携帯端末４００は、ダウンロード対象サービス選択装置４０１と、近距離通信装置４０５と、プログレスメーター構成装置４０３と、描画装置４０４と、プログレスメーター情報管理装置４０６と、ダウンロード対象サービス管理装置４０７とを含む。
【００８０】
これらはそれぞれ概略次のように動作する。携帯端末１００が携帯端末４００にダウンロードを要求する場合、ダウンロード対象サービス選択装置１０１は、近距離通信装置１０５を用い、携帯端末４００と通信し、ダウンロード対象サービス管理装置４０７に選択されたサービスのダウンロード開始を要求する。
【００８１】
プログレスメーター構成装置１０３は、近距離通信装置１０５を用い、ダウンロード対象サービス管理装置４０７より要求されたダウンロード対象サービスの情報を受け取ったプログレスメーター情報管理装置４０６から、プログレスメーターを特定するためのＵＲＬなどの情報を獲得し、対応するプログレスメーターを構成する部品などを、ローカル領域やサーバなどにアクセスし獲得する。描画装置１０４は、サービスダウンロードが開始されてから終了するまで、獲得されたプログレスメーターを構成する部品などで、プログレスメーターを描画する。
【００８２】
携帯端末４００が携帯端末１００にダウンロードを要求する場合、ダウンロード対象サービス選択装置４０１は、近距離通信装置４０５を用い、携帯端末１００と通信し、ダウンロード対象サービス管理装置１０７に選択されたサービスのダウンロード開始を要求する。
【００８３】
プログレスメーター構成装置４０３は、近距離通信装置４０５を用い、ダウンロード対象サービス管理装置１０７より要求されたダウンロード対象サービスの情報を受け取ったプログレスメーター情報管理装置１０６から、プログレスメーターを特定するためのＵＲＬなどの情報を獲得し、対応するプログレスメーターを構成する部品などを、ローカル領域やサーバなどにアクセスし獲得する。描画装置４０４は、サービスダウンロードが開始されてから終了するまで、獲得されたプログレスメーターを構成する部品などで、プログレスメーターを描画する。
【００８４】
次に、図１０を参照して本発明の第６の実施の形態の動作について詳細に説明する。  まず、携帯端末１００が携帯端末４００にダウンロードを要求する場合、ユーザは、携帯電話などの携帯端末１００が持つダウンロード対象サービス選択装置１０１で、画面上に表示されている映像や音楽などのファイルなどのダウンロード対象サービスのリストなどから、要求するダウンロード対象サービスを選択する。
【００８５】
携帯端末１００が持つダウンロード対象サービス選択装置１０１は、赤外線通信、ｂｌｕｅｔｏｏｔｈ通信などを行う近距離通信モジュールなどの近距離信装置１０５を用い、携帯端末４００が持つ映像や音楽などのファイルやコンテンツなどを格納しているダウンロード対象サービス管理装置４０７にサービスダウンロードを要求する。
【００８６】
携帯端末１００が持つプログレスメーター構成装置１０３は、赤外線通信、ｂｌｕｅｔｏｏｔｈ通信などを行う近距離通信モジュールなどの近距離信装置１０５を用い、携帯端末４００が持つダウンロード対象サービス管理装置４０７より要求されたダウンロード対象サービスの情報を受け取った、プログレスメーターの形、動きや部品などを特定するＵＲＬなどの情報を格納しているプログレスメーター情報管理装置４０６より、ダウンロード対象サービスに対応したプログレスメーターの形、動きや部品などを特定するＵＲＬなどの情報を得、携帯端末１００内のローカル領域やサーバより、プログレスメーターを構成する形、動きの情報やバーやうさぎなどのキャラクターの画像などの部品を獲得する。携帯端末１００が持つ描画装置１０４は、サービスダウンロードが開始されてから終了するまで、獲得されたプログレスメーターを構成する部品などで、プログレスメーターを描画する。
【００８７】
次に、携帯端末４００が携帯端末１００にダウンロードを要求する場合、ユーザは、携帯電話などの携帯端末４００が持つダウンロード対象サービス選択装置４０１で、画面上に表示されている映像や音楽などのファイルなどのダウンロード対象サービスのリストなどから、要求するダウンロード対象サービスを選択する。
【００８８】
携帯端末４００が持つダウンロード対象サービス選択装置４０１は、赤外線通信、ｂｌｕｅｔｏｏｔｈ通信などを行う近距離通信モジュールなどの近距離信装置４０５を用い、携帯端末１００が持つ映像や音楽などのファイルやコンテンツなどを格納しているダウンロード対象サービス管理装置１０７にサービスダウンロードを要求する。
【００８９】
携帯端末４００が持つプログレスメーター構成装置４０３は、赤外線通信、ｂｌｕｅｔｏｏｔｈ通信などを行う近距離通信モジュールなどの近距離信装置４０５を用い、携帯端末１００が持つダウンロード対象サービス管理装置１０７より要求されたダウンロード対象サービスの情報を受け取った、プログレスメーターの形、動きや部品などを特定するＵＲＬなどの情報を格納しているプログレスメーター情報管理装置１０６より、ダウンロード対象サービスに対応したプログレスメーターの形、動きや部品などを特定するＵＲＬなどの情報を得、携帯端末４００内のローカル領域やサーバより、プログレスメーターを構成する形、動きの情報やバーやうさぎなどのキャラクターの画像などの部品を獲得する。携帯端末４００が持つ描画装置４０４は、サービスダウンロードが開始されてから終了するまで、獲得されたプログレスメーターを構成する部品などで、プログレスメーターを描画する。
【００９０】
次に、本発明の第６の実施の形態の効果について説明する。本発明の第６の実施の形態では、プログレスメーター情報管理装置４０６から受け取ったダウンロード対象サービスに対応するプログレスメーターを特定するためのＵＲＬなどを元に、プログレスメーターを構成し表示するため、これにより、携帯端末１００が要求したダウンロード対象サービスに対応した見た目や動きのプログレスメーター表示し、ユーザはその状況に合ったプログレスメーターを閲覧できる。
【００９１】
例えば、友人同士の携帯端末でアドレス情報や写真画像を交換するときやゲームのデータを交換するときに、それらに対応したプログレスメーターを表示できる。
【００９２】
また、本発明の第６の実施の形態においては、携帯端末１００が通信相手の携帯端末に表示されるプログレスメーターを特定するＵＲＬを有するプログレスメーター情報管理装置１０６を持つため、ユーザは相手に表示するダウンロード対象サービスに対応するプログレスメーターとの組み合わせを独自のものに設定することができる。
【００９３】
第５の実施の形態と第６の実施の形態の相違点は、ダウンロード対象サービスとプログレスメーターの組み合わせリストを管理しているプログレスメーター情報管理装置１０６，４０６の利用方法にあり、相手の端末のものを利用するか、自分の端末のものを利用するかが異なり、メッセージのやり取りの順序が異なる。第６の実施の形態では、相手がカスタマイズしているリストを利用することができるため、クチコミをマーケティングに利用する口コミマーケティング機能も果たすことができる。
【００９４】
サービス提供サーバ２００、近距離通信機、携帯端末４００は、通信を制御する図示しない通信制御部を有しており、この通信制御部を介して通信を行うようになっている。
【００９５】
以上説明したように、本発明においては、携帯端末１００は、ダウンロード対象サービスダのウンロード開始時に、ダウンロード対象サービスに対応したプログレスメーターを特定するためのＵＲＬなどの情報を取得し、そのＵＲＬ等の情報に基づいてダウンロード対象サービスに対応するプログレスメーターを取得し、携帯端末１００の画面に描画する。これにより、ユーザは、ダウンロード対象サービスに合ったキャラクターなどのプログレスメーターを閲覧することができる。
【００９６】
なお、上記実施の形態の構成及び動作は例であって、本発明の趣旨を逸脱しない範囲で適宜変更することができることは言うまでもない。
【産業上の利用可能性】
【００９７】
本発明は、携帯電話におけるサービスダウンロード中に表示されるダウンロード対象サービスに応じたプログレスメーターとして、例えば、着メロダウンロード、着うたダウンロード、壁紙や写真などの画像ダウンロード、動画ダウンロード、ゲームなどのアプリダウンロード、インターネットアクセス時のページダウンロード中に表示するといった用途に適用できる。
【図面の簡単な説明】
【００９８】
【図１】本発明が適用される第１の実施の形態の構成例を示すブロック図である。
【図２】第１の実施の形態の動作について説明するためのフローチャートである。
【図３】本発明が適用される第２の実施の形態の構成例を示すブロック図である。
【図４】第２の実施の形態の動作について説明するためのフローチャートである。
【図５】本発明が適用される第３の実施の形態の構成例を示すブロック図である。
【図６】第３の実施の形態の動作について説明するためのフローチャートである。
【図７】本発明が適用される第４の実施の形態の構成例を示すブロック図である。
【図８】第４の実施の形態の動作について説明するためのフローチャートである。
【図９】本発明が適用される第５の実施の形態の構成例を示すブロック図である。
【図１０】本発明が適用される第６の実施の形態の構成例を示すブロック図である。
【図１１】従来のプログレスメーター表示システムの構成例を示すブロック図である。
【符号の説明】
【００９９】
１００，４００  携帯端末
１０１，４０１  ダウンロード対象サービス選択装置
１０２  広域通信装置
１０３，４０３  プログレスメーター構成装置
１０４，４０４  描画装置
１０６，２０２，３０２，４０６  プログレスメーター情報管理装置
２００  サービス提供サーバ
１０７，２０１，３０１，４０７  ダウンロード対象サービス管理装置
３００  近距離通信機
１０５，４０５  近距離通信装置
【図１】
2007241675.tif 000003
【図２】
2007241675.tif 000004
【図３】
2007241675.tif 000005
【図４】
2007241675.tif 000006
【図５】
2007241675.tif 000007
【図６】
2007241675.tif 000008
【図７】
2007241675.tif 000009
【図８】
2007241675.tif 000010
【図９】
2007241675.tif 000011
【図１０】
2007241675.tif 000012
【図１１】
2007241675.tif 000013